(57)【要約】【課題】  浄化した外気を建屋内に流動させて屋外に排出することにより有害な化学物質を除去した清浄な屋内に保ち、異臭や湿気を除去できる。モーターを使用しないので塵埃や炭粉等による火災は皆無で極めて安全性が高いと共にランニングコストを低く抑えることができる建屋内の空気浄化システムを提供する。【解決手段】  外気吸入口７と排気口９を有し、換気ファン８により外気を押込んで強制換気する家屋本体１内に空気浄化箱１４が配置してある。空気浄化箱１４は、上部側に外気導入口１７、下部側に浄化空気放出口１８を有し、内部に微多孔質焼成物で構成した浄化用吸着体を収納してあり、外気導入口１７を外気吸入口７に連通させてある。【選択図】  図１
2008209068.tif 000002
【特許請求の範囲】
【請求項１】
外気吸入口と排気口を有し、換気ファンにより外気を押込んで強制換気する建屋内に、上部側に外気導入口を、下部側に浄化空気放出口を夫々有し、内部に微多孔質焼成物で構成した浄化用吸着体を収納した空気浄化箱を、前記外気導入口を前記外気吸入口に連通させた状態で設置し、前記換気ファンにより該外気吸入口から押込む外気を該空気浄化箱内に流動させて前記浄化用吸着体により浄化し、前記浄化空気放出口から前記建屋内に放出するようにしてなる建屋内の空気浄化システム。
【請求項２】
吸排換気口により自然換気する建屋内に、上部側に外気導入口を、下部側に浄化空気放出口を夫々有し、内部に微多孔質焼成物で構成した浄化用吸着体を収納した空気浄化箱を、該建屋に設けた外気吸引口に前記外気導入口を連通させた状態で設置し、該外気吸引口に設けた換気ファンにより押込む外気を該空気浄化箱内に流動させて前記浄化用吸着体により浄化し、前記浄化空気放出口から前記建屋内に放出するようにしてなる建屋内の空気浄化システム。
【請求項３】
前記空気浄化箱は、仕切り板によって後側内部を浄化室に、前側内部を扉によって開閉可能な収納室に画成してある箱本体と、前記浄化室に連通して該箱本体の上部側に設けた外気導入口と、前記浄化室に連通して該箱本体の下部側に設けた浄化空気放出口と、前記浄化室内に設けた支持体とから構成し、該支持体に浄化用吸着体を支持させてなる請求項１又は２記載の空気浄化システム。
【請求項４】
前記空気浄化箱は、下部側に互いに離間して逆向きの状態に浄化空気放出口を夫々設け、かつ該各浄化空気放出口は閉塞手段によって開閉可能に構成してあることを特徴とする請求項１、２又は３記載の建屋内の空気浄化システム。
【請求項５】
前記空気浄化箱内には、前記外気導入口と浄化空気放出口を連通する通気部を長手方向一側に形成した板状の支持体を、上下反転自在に配設してあることを特徴とする請求項４記載の建屋内の空気浄化システム。
【請求項６】
前記空気浄化箱内には、前記外気導入口と浄化空気放出口を連通する通気部を有する支持板と、該支持板に変位可能に設けられて前記通気部を任意の開口面積に調節するシャッターとから構成した可変支持体を配設してあることを特徴とする請求項１、２又は３記載の建屋内の空気浄化システム。
【請求項７】
前記浄化用吸着体は、前記空気浄化箱内に設けた支持体に吊下した状態で収納してあることを特徴とする請求項１又は２記載の建屋内の空気浄化システム。
【請求項８】
前記浄化用吸着体は、通気性袋に微多孔質炭化物の片状体、粒状体、粉状体又はこれらの混合体を充填したものである請求項１又は２記載の建屋内の空気浄化システム。
【請求項９】
前記空気浄化箱は、後面に前記外気吸入口に連通する外気導入口を、側面に閉塞可能な連通穴を夫々有し、前面は扉によって開閉可能な外気導入箱体と、上下、左右の各側面に閉塞可能な連通穴を有し、前面が扉によって開閉可能な箱状に形成し、内部に浄化用吸着体を収納した複数の連設箱体とから構成し、前記外気導入箱体は前記外気導入口を前記外気吸入口に連通した状態にし、前記複数の連設箱体は隣接する連通穴は開放した状態にし、他の連通穴は閉塞した状態にして縦横に列設することにより、前記外気導入口から流入した外気を浄化して少なくとも一の連設箱体の連通穴を浄化空気放出口として前記建屋内に放出するようにしたことを特徴とする請求項１又は２記載の建屋内の空気浄化システム。
【発明の詳細な説明】
【技術分野】
【０００１】
本発明は、既築家屋、新築家屋、共同住宅等の建屋内にシックハウス症候群の原因とされているホルムアルデヒド等の有害化学物質が滞留する状態を解消すると共に、異臭や湿気も除去することによって、居住者等に快適な居住空間を提供するようにした建屋内の空気浄化システムに関する。
【背景技術】
【０００２】
近年、シックハウス症候群と称される健康被害の原因としてダイオキシン等の有害化学物質が挙げられており、その除去或いは低減が強く求められている。この有害な化学物質を炭の吸着作用を利用して除去する技術として、空気取入れ口及び空気吹出し口を有する中空ケースと、中空ケース内の通風路に配設されて空気取入れ口からの空気を空気吹出し口に送る送風機と、通風方向に離間して配設された複数の棚支持部材と、複数の棚支持部材に夫々に取換え可能に支持される通気性のある炭載置棚とからなる脱臭家具が提案されている（特許文献１）。また、駆動モーターで回転する換気扇を据えた箱の中に炭を入れ、汚染された室内空気を換気扇により吸込んで炭に当て、炭の吸着力の効率を上げ、又室内空気の対流を発生させる技術が提案されている（特許文献２）。
【特許文献１】特開２００３−１５３９９１号公報
【特許文献２】特開２００１−２３５１９８号公報
【発明の開示】
【発明が解決しようとする課題】
【０００３】
上述した特許文献１、２を含む従来技術の空気浄化装置には、以下の欠点がある。第１は、塵埃が流動するケーシング内に吸気用モーターを設けているため、該モーターに塵埃が早期に付着してしまうことから故障の恐れや安全性に欠ける恐れがあるという欠点であり、このため頻繁に掃除が必要で保守・点検の煩わしさがあるという欠点である。第２は、ケーシング内に空気浄化用の炭を収納しているが、モーターの静電気によって炭に塵埃が吸着或いは付着し易く、炭の浄化能力が早期に失われてしまうという欠点である。第３は、ケーシング内部に堆積した塵埃、及び塵埃が付着した炭片や炭粉はモーターから生じる火花や熱によって発火する虞があり、安全性に欠けるという欠点である。第４に、近年室内の埃には臭素系ダイオキシンを高濃度に含んでいるとしてその危険性が問題視されているが、室内の空気を循環させながら空気を浄化するタイプの浄化装置では、この臭素系ダイオキシンを含む室内の埃は除去できないという欠点である。
【０００４】
本発明は上述した従来技術の問題点に鑑みなされたもので、建屋内に導入した外気を浄化して屋内に流動させて屋外に排出することにより有害化学物質を除去した清浄な屋内に保つことができる、異臭や湿気を除去することができる、モーター類を使用しないので塵埃や塵埃が付着した炭粉等による火災は皆無であることから極めて安全性が高いと共にランニングコストを低く抑えることができる、また空気浄化箱は家具として併用できるので室内のスペースを有効に利用することができる建屋内の空気浄化システムを提供することを目的とする。
【課題を解決するための手段】
【０００５】
上述した課題を解決するために構成した請求項１に係る本発明の手段は、外気吸入口と排気口を有し、換気ファンにより外気を押込んで強制換気する建屋内に、上部側に外気導入口を、下部側に浄化空気放出口を夫々有し、内部に微多孔質焼成物で構成した浄化用吸着体を収納した空気浄化箱を、前記外気導入口を前記外気吸入口に連通させた状態で設置し、前記換気ファンにより該外気吸入口から押込む外気を該空気浄化箱内に流動させて前記浄化用吸着体により浄化し、前記浄化空気放出口から前記建屋内に放出するようにしたものからなる。
【０００６】
また、請求項２に係る本発明を構成する手段は、吸排換気口により自然換気する建屋内に、上部側に外気導入口を、下部側に浄化空気放出口を夫々有し、内部に微多孔質焼成物で構成した浄化用吸着体を収納した空気浄化箱を、該建屋に設けた外気吸引口に前記外気導入口を連通させた状態で設置し、該外気吸引口に設けた換気ファンにより押込む外気を該空気浄化箱内に流動させて前記浄化用吸着体により浄化し、前記浄化空気放出口から前記建屋内に放出するようにしたことにある。
【０００７】
また、前記空気浄化箱は、仕切り板によって後側内部を浄化室に、前側内部を扉によって開閉可能な収納室に画成してある箱本体と、前記浄化室に連通して該箱本体の上部側に設けた外気導入口と、前記浄化室に連通して該箱本体の下部側に設けた浄化空気放出口と、前記浄化室内に設けた支持体とから構成し、該支持体に浄化用吸着体を支持させる構成にするとよい。
【０００８】
更に、前記空気浄化箱は、下部側に互いに離間して逆向きの状態に浄化空気放出口を夫々設け、かつ該各浄化空気放出口は閉塞手段によって開閉可能に構成するとよい。
【０００９】
また、前記空気浄化箱内には、前記外気導入口と浄化空気放出口を連通する通気部を長手方向一側に形成した板状の支持体を、上下反転自在に配設した構成にするとよい。
【００１０】
また、前記空気浄化箱内には、前記外気導入口と浄化空気放出口を連通する通気部を有する支持板と、該支持板に変位可能に設けられて前記通気部を任意の開口面積に調節するシャッターとから構成した可変支持体を配設した構成にするとよい。
【００１１】
更に、前記浄化用吸着体は、前記空気浄化箱内に設けた支持体に吊下した状態で収納する構成にするとよい。
【００１２】
また、前記浄化用吸着体は、通気性袋に微多孔質炭化物の片状体、粒状体、粉状体又はこれらの混合体を充填した構成にするとよい。
【００１３】
更にまた、前記空気浄化箱は、後面に前記外気吸入口に連通する外気導入口を、側面に閉塞可能な連通穴を夫々有し、前面は扉によって開閉可能な外気導入箱体と、上下、左右の各側面に閉塞可能な連通穴を有し、前面が扉によって開閉可能な箱状に形成し、内部に浄化用吸着体を収納した複数の連設箱体とから構成し、前記外気導入箱体は前記外気導入口を前記外気吸入口に連通した状態にし、前記複数の連設箱体は隣接する連通穴は開放した状態にし、他の連通穴は閉塞した状態にして縦横に列設することにより、前記外気導入口から流入した外気を浄化して少なくとも一の連設箱体の連通穴を浄化空気放出口として前記建屋内に放出するようにするとよい。
【発明の効果】
【００１４】
本発明は上述の構成にしたから、下記の諸効果を奏する。
（１）換気ファンにより外気を押込んで強制換気する建屋内に、浄化用吸着体を収納した空気浄化箱を設置し、外気吸入口から流入する外気を空気浄化箱内に流動させて浄化用吸着体により浄化し、浄化空気放出口から建屋内に放出して建屋内の空気は屋外に押出す構成にしたから、建屋内の空気を常時清浄に保って異臭や湿気を除去することができるし、シックハウス症候群の原因とされる有害化学物質の除去或いは低減を図ることができる。
（２）吸排換気口により自然換気する建屋内に、浄化用吸着体を収納した空気浄化箱を設置し、外気吸引口に設けた換気ファンにより押込む外気を空気浄化箱内に流動させて浄化用吸着体により浄化し、浄化空気放出口から建屋内に放出するようにしたから、上記１と同様に建屋内の空気を常時清浄に保ち、また異臭や湿気を除去することができる。
（３）空気浄化箱体は、外気吸入口に連通させて屋内に設置するだけで使用することができるし、設置のための特別な工事は不要であるから、新築家屋は勿論のこと既存家屋にも、また共同住宅にも用いることができる。
（４）空気浄化箱は、仕切り板によって後側内部を浄化室に、前側内部を扉によって開閉可能な収納室に画成してあるから、空気浄化箱をキャビネット等の家具にも併用できるので屋内のスペースを有効利用することができる。
（５）空気浄化箱の下部側に、浄化空気放出口を互いに離間して逆向きの状態に夫々設け、かつ閉塞手段によって開閉可能にしてあるから、空気浄化箱は屋内に配置する位置と浄化空気を放出する方向を任意に選択することができ、使用上の自由度がある。
（６）空気浄化箱内には、外気導入口から浄化空気放出口にかけて流路を形成するための通気部を長手方向一側に形成した支持体を、上下面を反転可能にして配設したから、使用する浄化空気放出口の位置に対応して空気の流動方向を任意に変えることができる。
（７）空気浄化箱内には、外気導入口と浄化空気放出口を連通するための通気部を有する支持板と、支持板に変位可能に設けられ、通気部を任意の開口面積に調節可能なシャッターとから構成した可変支持体を配設したから、屋内の面積に対応して浄化空気の放出量を調整することや、空気浄化箱内での流動速度を調整することができる。
（８）浄化用吸着体は、空気浄化箱内に支持体を介して吊下した状態で収容したから、流動する外気との接触面積を確保できることにより空気の浄化効率を高めることができる。
（９）浄化用吸着体は、通気性袋に微多孔質炭化物の片状体、粒状体、粉状体又はこれらの混合体を充填して構成したから、微多孔質炭化物は塵埃が直接付着することが無く長期間にわたって空気浄化作用を発揮することができる。
（１０）空気浄化箱は、外気導入口と閉塞可能な連通穴を夫々有し、前面は扉によって開閉可能な外気導入箱体と、上下、左右の各側面に閉塞可能な連通穴を有し、前面が扉によって開閉可能な複数の連設箱体とから構成し、外気導入箱体は外気導入口を外気吸入口に連通した状態にし、該複数の連設箱体は隣接する連通穴は開放し、他の連通穴は閉塞した状態にして縦横に列設する構成にしたから、屋内のスペースに対応する大きさの空気浄化箱に組成することができるし、物入れとしての使用便宜や屋内のインテリアを考慮した好適な形態の空気浄化箱に組成することができる。
【発明を実施するための最良の形態】
【００１５】
以下、本発明の実施の形態を図面に基づき詳述する。図１乃至図４は本発明の第１の実施の形態を示す。図において、１は家屋本体を示す。該家屋本体１は布基礎２と、該布基礎２上に構築した躯体３とからなり、該躯体３は一階床部３Ａ、外壁３Ｂ、３Ｂ、一階天井３Ｃ、二階床部３Ｄ、二階天井３Ｅ，屋根部３Ｆによって二階建てに構成し、内部は扉４、４・・によって複数の部屋５Ａ、５Ｂ、・・、廊下６Ａ、６Ｂに画成してある。
【００１６】
７、７、７は各部屋５Ａ、５Ｃ、５Ｄに外気を導入するために外壁３Ｂに設けた筒体からなる外気吸入口で、部屋５Ｃに連通する一の外気吸入口７には外気を家屋本体１内に押込んで強制換気するための換気ファン８が設けてある。９は家屋本体１内の空気を屋外に排出するための排気口で、該排気口９には廊下６Ａ、６Ｂにそれぞれ開口する分岐管からなる排気ダクト９Ａ、９Ｂが接続してあり、下流側には排気ファン１０が設けてある。また、部屋５Ｂに連通して外壁３Ｂに設けた他の排気口１１にも排気ファン１２が設けてある。
【００１７】
かくして、家屋本体１は上述の構成からなり、換気ファン８により外気を吸い込んで各室内に押込み、排気ファン１０により屋外に排気する強制換気システムを採用している。また、部屋には暖房用の放熱パネル１３が壁に沿って設置してある。
【００１８】
１４は前記家屋本体１内に清浄な外気を供給するための空気浄化箱を示す。該空気浄化箱１４は、長方形の底板１５Ａの後縁に後板１５Ｂを立設し、底板１５Ａの両側縁に側板１５Ｃ、１５Ｃを立設し、両側板１５Ｃ、１５Ｃと後板１５Ｂの上端に天板１５Ｄを横設することにより、前方が開放した形状に構成した箱本体１５と、該箱本体１５に密閉可能に蝶着した観音扉１６とから構成し、後板１５Ｂの上部側に外気導入口１７を形成し、一側の側板１５Ｃの下部側に浄化空気放出口１８が形成してある。
【００１９】
そして、箱本体１５及び扉１６はパネル材で断熱材を挟んで積層した木製パネルで形成して断熱性を持たせてあり、冷たい外気が導入されることによって室内が冷却されるのを可及的に防止している。また、外気導入口１７には塵埃を除去するフィルター１９が設けてある。
【００２０】
２０、２０は箱本体１５の側板１５Ｃ、１５Ｃ間に上下２段に横架した支持体で、該各支持体２０は横長の平板からなり、長手方向一側の角隅には略Ｌ字状の切り欠きからなる通気部２０Ａを形成した形状からなっている。そして、下側の支持体２０は上下反転して横架することにより、上側と下側の通気部２０Ａ、２０Ａを離間する反対側に位置させて外気が箱本体１４内を蛇行するようにしてある。なお、各支持体２０は側板１５Ｃに設けた受け部材、例えばＬ型金具（但し、図示せず。）によって支持してある。
【００２１】
２１、２１、・・・は各支持体２０の上に載置して収納した複数の浄化用吸着体を示し、該各浄化用吸着体２１は通気性のある不織布で成形した袋の中に微多孔質焼成体である木炭や椰子殻活性炭等の片状体、粒状体、粉状体又はこれらの混合体を充填して構成してある（図９参照）。
【００２２】
本実施の形態に係る空気浄化システムは上述の構成からなるが、次にその作用について説明する。先ず、家屋本体１の外気吸入口７に外気導入口１７を連通させた状態にして、室内に空気浄化箱１４を壁に沿って設置する。この場合、浄化空気放出口１８は放熱パネル１３に向けた状態にする。空気浄化箱１４をこのように配置することにより、冷えた浄化空気を放熱パネル１３によって速やかに加温して室内に流動させることができるので室温が低下するのを防止している。
【００２３】
上述した状態で空気浄化箱１４を設置した家屋本体１では、外気吸入部７から換気ファン８により押し込んだ外気は空気浄化箱１４内にフィルター１９を通って流入し、該箱１４内を流動する間に浄化用吸着体２１に接触することによって外気中に含まれている二酸化炭素、花粉、硫黄酸化物等の有害物質を吸着除去し、清浄な空気にして放熱パネル１３に向けて浄化空気放出口１８から放出する。
【００２４】
このように、換気ファン８によって家屋本体１内に押込む外気を先ずは空気浄化箱１４内で浄化し、浄化空気を家屋本体１内に放出して流動させることにより、家屋本体１を構成している建材等から放出される有害化学物質の濃度を希釈化或いは低減し、また排気口９、１２から屋外に排出することによって家屋本体１内を常時清浄な空気で充たすことができる。
【００２５】
表１は、空気浄化システムを第２種換気式部屋（Ａ）に設けた場合と、第３種換気式部屋（Ｂ）に設けない場合、また逆に部屋（Ａ）に当該システムを設けずに部屋（Ｂ）に当該システムを設けた各場合におけるホルムアルデヒド濃度を測定して測定値を比較したものである。表１の測定値から明らかなように、第１回及び第２回の各測定では空気浄化システムを設けた室内（Ａ）の空気は浄化されており、第３回の測定では空気浄化システムを設けた部屋(Ｂ)の空気が浄化されていることが確認できる。測定は、財団法人北海道環境科学技術センターによる。
【００２６】
【表１】
2008209068.tif 000003
【００２７】
次に、第２の実施の形態を図５乃至図７に基づいて説明する。なお、本実施の形態及び後述する他の実施の形態において前述した第１の実施の形態の構成要素と同一の構成要素には同一の符号を付して援用し、その説明を省略する。図において、３１は空気浄化箱を示し、該空気浄化箱３１は箱本体１５と、扉１６（図示せず。）と、外気導入口１７と、箱本体１５の両側板１５Ｃ、１５Ｃの下側に設けた浄化空気放出口３２，３３とから構成してある。
【００２８】
図６に示す３４は、該一対の浄化空気放出口３２、３３を選択的に閉塞する閉塞板を示す。該閉塞板３４は板体３４Ａと、該板体３４の裏面に上下に位置して後方に突設したばね材からなる一対の係合片３４Ｂ、３４Ｂとから構成してあり、浄化空気放出口３２、３３に係合片３４Ｂ、３４Ｂを係合させることにより嵌脱可能になっている。
【００２９】
３５は浄化用吸着体２１を支持するために箱本体１５内に横架する支持体を示す。該支持体３５の特徴は、長方形の平板からなり、長手方向に離間して切り欠き状の一対の通気部３６Ａ、３６Ｂを形成した板本体３６と、該板本体３６の下面に図示しない可動支持部を介して矢示イロ方向に摺動可能に設けられ、該一対の通気部３６Ａ、３６Ａを選択的に閉塞するシャッター３７とから構成したことにある。
【００３０】
本実施の形態では、空気浄化箱３１の両側に浄化空気放出口３２、３３を設け、閉塞板３４によって浄化空気の放出方向を選択可能にすると共に、各支持体３５の一対の通気部３６Ａ、３６Ａはシャッター３７によって選択的に開閉することにより浄化空気の流れ方向を変更することができる構成してある。これにより、空気浄化箱３１は、部屋の間取りや放熱パネル１３の配置位置に合わせて浄化空気放出口３２、３３を選択して配置することができるし、箱本体２内の浄化空気は流れ方向を切り替えることによって浄化用吸着体２１、２１、・・・に確実に接触させて浄化することができる。
【００３１】
図８及び図９は第３の実施の形態を示す。本実施の形態の特徴とするところは、第２の実施の形態における板状の支持体３５に代えて２本の支持棒４１、４１を上下に離間して箱本体２内に架設し、該各支持体４１に複数の浄化用吸着体４２、４２、・・・を吊下げたことにある。ここで、該各浄化用吸着体４２は不織布等の通気性のある素材からなる収納袋４２Ａと、該収納袋４２Ａの上端に設けた吊下げフック４２Ｂと、収納袋４２Ａに収容した片状体、粒状体、粉状体又はこれらの混合体からなる微多孔質焼成体である炭４２Ｃ、４２Ｃ・・・とから構成してある。
【００３２】
本実施の形態によれば、各支持棒４１に複数の浄化用吸着体４２を吊下げた状態で箱本体１５内に収納し、流動する外気に対して浄化用吸着体４２の接触面積を十分に確保できるようにしたから、空気の浄化効率を高めることができるし、浄化用吸着体４２の交換作業も容易に行うことができる。
【００３３】
図１０は第４の実施の形態に係る空気浄化箱を示す。該空気浄化箱５１を構成する箱本体１５は第１の実施の形態に示すものであり、外気導入口１７、浄化空気放出口１８を有している。箱本体１５内には縦方向に仕切り板５２が設けてあり、外気導入口１７及び浄化空気放出口１８に連通する後側内部は浄化室５３に、前側内部は収納室５４に画成してある。そして、前記浄化室５３内には外気導入口１７と浄化空気放出口１８を連通する通気部５５Ａを設けた平板からなる支持体５５が上下２段に架設してある。
【００３４】
上述の構成からなる空気浄化箱５１は、仕切り板５２によって後側内部を浄化室５３に、前側内部を収納室５４に画成してあるから、空気の浄化機能とキャビネット等の収納機能を併有することにより、屋内のスペースを有効に利用することができる。
【００３５】
更に、図１１は第５の実施の形態に係る可変支持体６１を示し、該可変支持体６１は外気導入口１７と浄化空気放出口１８を連通するための通気部６２Ａが長手方向一側に切欠き状に形成してある板本体６２と、図示しない摺動機構を介して該板本体６２に矢示イ、ロ方向の横方向に変位可能に設けられ、該通気部６２Ａを任意の開口面積に調節する可動調節板６３とから構成してある。
【００３６】
本実施の形態によれば、可動調節板６３を矢示イ、ロ方向に摺動して通気部６３Ａの開口面積を変えることにより、屋内の面積に対応して浄化空気の放出量を調整することや、空気浄化箱１４内での流動速度を調整することができる。
【００３７】
更に、図１２乃至図１６は第６の実施の形態を示す。図において、７１は空気浄化箱、７２は該空気浄化箱７１を構成する外気導入箱体を示す。該外気導入箱体７２は正方形の平板からなり、上下左右の４面を形成する４枚の側板７３Ａ、７３Ｂ、７３Ｃ、７３Ｄ、後側を閉塞する後板７３Ｅ及び前面に開閉可能に設けた扉７３Ｆによって直方体に形成した箱本体７３と、後板７３Ｅに形成され、外気吸入口７に連通する外気導入口７４と、各側板７３Ｂに形成した連通穴７５と、該連通穴７５を開閉可能に閉塞する蓋体７６とから構成してある。ここで、蓋体７６は略正方形の平板からなる基部７６Ａ
と、該基部７６Ａの一面に固着され、連通穴７５に嵌脱可能に嵌合する円板状の閉塞部７６Ｂとから構成してある。なお、基部７６Ａと閉塞部７６Ｂは木材或いは合成樹脂材により一体に形成してもよい。また、蓋体７６に替えて、回転式のシャッターを箱本体７３に設けてもよい。
【００３８】
７７は外気を浄化して室内に放出するための連設箱体を示す。該連設箱体７７は前記外気導入箱体７２と同様に、正方形の平板からなり、上下左右を囲繞する枠状の４枚の側板７８Ａ、７８Ｂ、７８Ｃ、７８Ｄ、後側を閉塞する後板７８Ｅ及び前面に開閉可能に設けた扉７８Ｆによって直方体に形成した箱本体７８と、各側板７８Ａ、７８Ｂ、・・に形成した連通穴７９と、該連通穴７９を開閉可能に閉塞する蓋体７６とから構成してある。そして、箱本体７８内には、支持棒８０を架設して浄化用吸着体４２が吊り下げてある。
【００３９】
また、図１５に示すように、連設箱体７７の他に横長の立方体の連設箱体８１を併用することにより、空気浄化箱７１を大きさと形状の異なる複数の連設箱体７７、８１で構成し、キャビネットとしての用途を充実させることができる。ここで、横長連設箱体８１は上下左右を囲繞する枠状の４枚の側板８２Ａ、８２Ｂ、８２Ｃ、８２Ｄ、後側を閉塞する後板８２Ｅ及び前面に開閉可能に設けた扉８２Ｆによって横長の立方体に形成した箱本体８２と、各側板８２Ａ、８２Ｂ、・・に形成した連通穴８３と、該連通穴８３を開閉可能に閉塞する蓋体７６とから構成してある。
【００４０】
上述の構成によれば、空気浄化箱７１は、１個の外気導入箱体７２と、複数個の連設箱体７７及び選択により横長の連設箱体８１を縦横に列設することにより、屋内のスペースに合せた任意の大きさと形態に組成することができる。この場合、外気導入箱体７２は外気導入口７４を外気吸入口７に連通した状態にし、複数の連設箱体７７、８１は隣接する連通穴７９、８３を開放した状態にし、他の連通穴７９、８３は蓋体７６によって閉塞した状態にして縦横に列設することにより、図１６に示すように外気導入口７４から流入した外気を浄化して少なくとも一の連設箱体７７、８１の連通穴７９、８３を浄化空気放出口として家屋本体１内に放出する流路を形成することができる。
【００４１】
更に、図１７は第７の実施の形態に係り、自然換気式建屋に空気浄化システムを設けた構成を示す。図において、９１は建屋を構成する家屋本体で、該家屋本体９１は第１の実施の形態に係る家屋本体１と同様の構成からなるが、各部屋５Ａ、５Ｃ、５Ｄには自然換気のための吸排換気口９２が外壁３Ｂに設けてある。
【００４２】
９３は部屋５Ｃから屋内に外気を導入するために外壁３Ｂに設けた外気吸引口で、該外気吸引口９３には換気ファン９４が設けてある。そして、外気吸引口９３に外気導入口１７を連通させた状態で部屋５Ｃに空気浄化箱１４を設置してある。
【００４３】
本実施の形態によれば、自然換気式家屋本体９１にも換気ファン９４を有する外気吸引口９３を設けて空気浄化箱１４を設置することにより、第１の実施の形態と同様の作用によって家屋本体９１内の空気を浄化して換気し、異臭や湿気を除去することができる。
【図面の簡単な説明】
【００４４】
【図１】図１及び図４は本発明の第１の実施の形態に係り、図１は建屋内に設置した空気浄化システムの説明図である。
【図２】屋内に配置した空気浄化箱の説明図である。
【図３】空気浄化箱の一部を破断して示す側面図である。
【図４】空気浄化箱の内部構成を示す正面図である。
【図５】図５及び図７は第２の実施の形態に係り、図５は空気浄化箱の内部構成を示す斜視図である。
【図６】閉塞板の斜視図である。
【図７】上下反転して示す支持体の斜視図である。
【図８】図８及び図９は第３の実施の形態に係り、図８は空気浄化箱の内部構成を示す正面図である。
【図９】支持体と浄化用吸着体の説明図である。
【図１０】第４の実施の形態に係る空気浄化箱の内部構成を示す斜視図である。
【図１１】第５の実施の形態に係る支持体を上下反転して示す斜視図である。
【図１２】図１２乃至図１６は第６の実施の形態に係り、図１２は一部の内部構成を示す空気浄化箱の斜視図である。
【図１３】空気浄化箱を構成する外気導入箱体と連設箱体の内部構成を示す正面図である。
【図１４】連設箱体の構成及び蓋体を示す斜視図である。
【図１５】横長連設箱体の構成を示す斜視図である。
【図１６】空気浄化箱の流路を示す透視図である。
【図１７】第７の実施の形態に係る建屋内の空気浄化システムの説明図である。
【符号の説明】
【００４５】
１、９１    家屋本体
７          外気吸入口
８、９４    換気ファン
９          排気口
１４、３１、５１、７１      空気浄化箱
１５        箱本体
１７、７４      外気導入口
１８、３２、３３      浄化空気放出口
２０、３５、４１、５５      支持体
２０Ａ、３６Ａ      通気部
２１、４２      浄化用吸着体
３４        閉塞板（閉塞手段）
３７        シャッター
５２        仕切り板
５３        浄化室
５４        収納室
７２        外気導入箱体
７３Ｆ、７８Ｆ、８２Ｆ      扉
７５、７９、８３      連通穴
７７、８０    連設箱体
９２        吸排換気口
９３        外気吸引口
【図１】
2008209068.tif 000004
【図２】
2008209068.tif 000005
【図３】
2008209068.tif 000006
【図４】
2008209068.tif 000007
【図５】
2008209068.tif 000008
【図６】
2008209068.tif 000009
【図７】
2008209068.tif 000010
【図８】
2008209068.tif 000011
【図９】
2008209068.tif 000012
【図１０】
2008209068.tif 000013
【図１１】
2008209068.tif 000014
【図１２】
2008209068.tif 000015
【図１３】
2008209068.tif 000016
【図１４】
2008209068.tif 000017
【図１５】
2008209068.tif 000018
【図１６】
2008209068.tif 000019
【図１７】
2008209068.tif 000020